(57)【要約】【課題】ヘッドフォンを接続して音楽を聞いている場合に、電話着信又は電子メール受信があっても、その着信等をユーザに報知しないことを課題とする。【解決手段】音声データを含む再生コンテンツを再生する再生部と、音声データを出力する音声出力部と、電話処理部と、電子メール処理部と、再生コンテンツの再生の有無を検出する再生状態検出部と、音声出力部として着用聴取装置が接続されているか否かを確認する接続確認部と、制御部とを備え、接続確認部が着用聴取装置が接続されていることを確認し、かつ再生状態検出部が再生部によって再生コンテンツを再生していることを検出している場合に、電話着信および電子メール受信の少なくともどちらか一方があった場合、制御部は、再生部による再生コンテンツの再生を継続させ、着用聴取装置から再生コンテンツの音声データを出力する。【選択図】図３
2014146903.tif 000002
【特許請求の範囲】
【請求項１】
音声データを含む再生コンテンツを再生する再生部と、
前記再生コンテンツの音声データを出力する音声出力部と、
電話による発着信を行う電話処理部と、
電子メールの送受信を行う電子メール処理部と、
前記再生部による再生コンテンツの再生の有無を検出する再生状態検出部と、
前記音声出力部として着用聴取装置が接続されているか否かを確認する接続確認部と、制御部とを備え、
前記接続確認部が着用聴取装置が接続されていることを確認し、かつ再生状態検出部が再生部によって再生コンテンツを再生していることを検出している場合に、
前記電話処理部による電話着信および前記電子メール処理部による電子メール受信の少なくともどちらか一方があった場合、前記制御部は、前記再生部による再生コンテンツの再生を継続させ、前記着用聴取装置から前記再生コンテンツの音声データを出力することを特徴とする携帯端末。
【請求項２】
前記制御部は、前記電話着信があったことおよび電子メールの受信があったことを、ユーザに報知しないことを特徴とする請求項１に記載の携帯端末。
【請求項３】
前記音声出力部が、内蔵されたスピーカを備え、
前記接続確認部が、前記着用聴取装置が接続されていないことを確認し、かつ前記再生状態検出部が、再生部によって再生コンテンツを再生していることを検出し、再生コンテンツの音声データが前記スピーカから出力されている場合に、
前記電話処理部による電話着信および前記電子メール受信の少なくともどちらか一方があった場合、前記制御部は、再生コンテンツの再生を一時停止させ、所定の着信応答処理を実行することを特徴とする請求項１または２に記載の携帯端末。
【請求項４】
記憶部をさらに備え、前記電話着信があった場合は、前記制御部が、その着信に関する情報を前記記憶部に記憶し、前記電子メールの受信があった場合は、前記制御部が、その受信した電子メールに関する情報を前記記憶部に記憶することを特徴とする請求項１ないし３のいずれかに記載の携帯端末。
【請求項５】
前記着用聴取装置が、耳に装着して音声を出力するヘッドフォンであることを特徴とする請求項１ないし４のいずれかに記載の携帯端末。
【請求項６】
前記再生コンテンツは、音楽データ、あるいは映像および音声からなる動画データの少なくともいずれか一方を含むことを特徴とする請求項１ないし５のいずれかに記載の携帯端末。
【請求項７】
前記着用聴取装置は、有線ケーブルによって接続されその有線ケーブルを介して受信した音声データを出力する装置、あるいは無線通信によって受信した音声データを出力する装置のいずれかであることを特徴とする請求項１ないし６のいずれかに記載の携帯端末。
【発明の詳細な説明】
【技術分野】
【０００１】
この発明は、携帯端末に関し、特に、音声再生機能を有する携帯端末に関する。
【背景技術】
【０００２】
今日の携帯端末は、発着信と音声通話を行う電話機能、電子メールの送受信機能、音楽録音再生機能、画像（静止画、動画）撮影機能、画像（静止画、動画）再生機能など多数の機能を有している。
通常、ユーザがこれらの多数の機能の中から所望の機能を１つ選択して起動させるが、１つの機能を実行中に、他の機能が自動的に起動させられる場合がある。
【０００３】
たとえば、ユーザが音楽再生機能を起動させ、音楽データを再生している場合に、電話による着信があると電話着信機能が自動的に起動させられ、着信音の鳴動や振動などにより、着信があったことがユーザに通知される。
しかし、ユーザが音楽あるいは動画再生機能を起動させ、音声を聞いている場合、電話着信などの他の機能が自動的に起動されても、他の機能の起動をユーザに知らせることなく、そのまま音声の再生を継続して行いたい場合がある。
【０００４】
たとえば、特許文献１には、音楽再生中に電話着信があった場合、ユーザが予め登録した特定の発信元からの電話着信に対してのみ着信の報知を行って音楽の再生よりも通話を優先させ、一方その特定の発信元以外の発信元からの電話着信に対しては、その着信に対する応答をするが着信のユーザへの報知を行わずに音楽の再生を継続させ、通話よりも音楽の再生の方を優先させるようにした通信端末装置が提案されている。
また、特許文献２には、音声信号の再生中に着呼があった場合に、再生中の音声再生を中断せずに発信者のメッセージを録音するようにした携帯端末装置が提案されている。
【０００５】
また、特許文献３には、バイブレータを有するイヤホンマイクがイヤホンジャックに接続されていることを検出した場合、イヤホンマイクを通して音楽データの再生が行われ、音楽データの再生中に着呼があった場合、再生を中断せずに、バイブレータの振動により着呼があったことを報知する携帯端末装置が提案されている。
【先行技術文献】
【特許文献】
【０００６】
【特許文献１】特開２００２−２２３２７９号公報
【特許文献２】特開２００１−２５１４１８号公報
【特許文献３】特開２００４−８０３９５号公報
【発明の概要】
【発明が解決しようとする課題】
【０００７】
このような多機能の携帯端末を利用するユーザは、電話着信や電子メールの受信などの有無にかかわらず、再生中の音声を聞くことに集中したい場合がある。
しかし、たとえば、特許文献１に記載の装置では、予め登録された特定の発信元からの電話着信があった場合は、着信の報知が行われるので、集中して聞きたい音声が中断されてしまうことになる。
逆に、ユーザがスピーカを利用して音声を再生し、その音声に集中することなく聞いている場合は、着信に応答し再生を中断してもよい場合があると考えられるが、特定の発信元以外からの着信があった場合、その着信の報知は行われないので、音声再生は中断することなく継続されることになり、再生が続く限りユーザは着信に気づくことがない。
このようにスピーカを利用して集中することなく音声を聞いている場合には、発信元の登録の有無にかかわらず、着信に応答して通話を優先させる方が望ましい場合もある。
また、特許文献３に記載の装置では、イヤホンマイクにバイブレータが備えられているため、音楽データの再生が継続されても、着信のあったことを示すバイブレータの振動が耳に伝導するため、必ずしも再生中の音楽データを快適に聞くことができるとは限らない。ユーザによっては、再生中に突然発生するそのような振動が不快に感じる場合がある。
【０００８】
さらに、特許文献２の装置では、音声の再生中に着信があった場合、着信の報知は行われないので、再生が着信によってさまたげられることはないが、着信時に録音されたメッセージがすべてユーザにとって必要なものか否かは不明である。
また、上記のようにユーザが再生中の音声を集中して聞いているような状態でない場合は、再生を中断して着信に応答してもよい場合もあるので、音声の再生中に受信された発信者のメッセージを一律に録音しておき、再生終了後にその録音メッセージを聞くことがユーザにとって適切な対応とは限らない。
【０００９】
一方、今日の携帯端末は、小型軽量化されているため、移動中や乗車中などさまざまな場面で音声の再生が行われるが、ユーザの望む音楽や動画音声を聞くことに集中して快適に再生するために、ユーザはヘッドフォンを利用することが多い。
すなわち、ヘッドフォンを携帯端末に接続して音声を聞いているような状況では、ユーザは集中してその音声を聞き、電話着信等によってその音声再生がさまたげられることがないことが望ましいと考えられる。
そこで、この発明は、以上のような事情を考慮してなされたものであり、音声再生機能を有する携帯端末において、ユーザが集中して再生音声を聞いている場合に、電話着信等によってその再生をさまたげられることなく、継続して快適に音声を聞くことができるようにすることを課題とする。
【課題を解決するための手段】
【００１０】
この発明は、音声データを含む再生コンテンツを再生する再生部と、前記再生コンテンツの音声データを出力する音声出力部と、電話による発着信を行う電話処理部と、電子メールの送受信を行う電子メール処理部と、前記再生部による再生コンテンツの再生の有無を検出する再生状態検出部と、前記音声出力部として着用聴取装置が接続されているか否かを確認する接続確認部と、制御部とを備え、前記接続確認部が着用聴取装置が接続されていることを確認し、かつ再生状態検出部が再生部によって再生コンテンツを再生していることを検出している場合に、前記電話処理部による電話着信および前記電子メール処理部による電子メール受信の少なくともどちらか一方があった場合、前記制御部は、前記再生部による再生コンテンツの再生を継続させ、前記着用聴取装置から前記再生コンテンツの音声データを出力することを特徴とする携帯端末を提供するものである。
これによれば、着用聴取装置が接続されて再生コンテンツの再生をしている場合、電話着信等があっても、その再生が継続されるので、ユーザは再生コンテンツに集中して視聴を続けることができる。
【００１１】
また、前記制御部は、前記電話着信があったことおよび電子メールの受信があったことを、ユーザに報知しないことを特徴とする。
これによれば、電話着信等があっても、電話着信等があったことをユーザに報知しないので、ユーザは、集中して視聴している再生コンテンツの再生を妨げられることなく、快適に再生コンテンツの視聴を継続することができる。
【００１２】
また、前記音声出力部が、内蔵されたスピーカを備え、前記接続確認部が、前記着用聴取装置が接続されていないことを確認し、かつ前記再生状態検出部が、再生部によって再生コンテンツを再生していることを検出し、再生コンテンツの音声データが前記スピーカから出力されている場合に、前記電話処理部による電話着信および前記電子メール受信の少なくともどちらか一方があった場合、前記制御部は、再生コンテンツの再生を一時停止させ、所定の着信応答処理を実行することを特徴とする。
これによれば、ユーザがスピーカから出力される音声を聞いている場合に、電話着信等があった場合は、再生コンテンツの再生を一時停止させ、着信等に応答する処理をするので、ユーザは、入力部による特別な設定操作をすることなく、着用聴取装置を接続しないようにするだけで、再生コンテンツの再生よりも着信等への応答処理を優先させることができる。
【００１３】
また、記憶部をさらに備え、前記電話着信があった場合は、前記制御部が、その着信に関する情報を前記記憶部に記憶し、前記電子メールの受信があった場合は、前記制御部が、その受信した電子メールに関する情報を前記記憶部に記憶することを特徴とする。
これによれば、着信等に関する情報を記憶させておくので、たとえばユーザが再生を終了した後に、その記憶内容を確認することにより、着信等があったことを知ることができる。
【００１４】
また、前記着用聴取装置が、耳に装着して音声を出力するヘッドフォンであることを特徴とする。
また、前記再生コンテンツは、音楽データ、あるいは映像および音声からなる動画データの少なくともいずれか一方を含むことを特徴とする。
また、前記着用聴取装置は、有線ケーブルによって接続されその有線ケーブルを介して受信した音声データを出力する装置、あるいは無線通信によって受信した音声データを出力する装置のいずれかであることを特徴とする。
【発明の効果】
【００１５】
この発明によれば、着用聴取装置を接続し、ユーザが着用聴取装置を用いて再生コンテンツの音声データを聞いている場合に、電話着信あるいは電子メールの受信があった場合、その再生コンテンツの再生が継続されるので、電話着信あるいは電子メールの受信によって、ユーザが現在視聴している再生コンテンツの再生が妨げられることがなく、快適に集中して、再生コンテンツの音声データを聞くことができる。
【図面の簡単な説明】
【００１６】
【図１】この発明の携帯端末の一実施例の構成ブロック図である。
【図２】この発明の携帯端末の記憶部に記憶される情報の一実施例の説明図である。
【図３】この発明の携帯端末の音声再生時の着信応答処理の一実施例のフローチャートである。
【図４】この発明の携帯端末の現在の状態に対応した動作リストの一実施例の説明図である。
【発明を実施するための形態】
【００１７】
以下に、本発明を実施するための最良の形態について図面を参照して説明する。なお、これによって、この発明が限定されるものではない。
＜この発明の携帯端末の構成＞
図１に、この発明の携帯端末の一実施例の構成ブロック図を示す。
この発明の携帯端末は、少なくとも、電話機能，電子メール送受信機能，音声録音再生機能，音声を含む動画の再生機能を備えているものとする。
【００１８】
また、音声再生機能としては、音楽データ，ヒアリングや会議等の録音音声データ，映画等の動画コンテンツに含まれる音声データ，虫の音，鳥のさえずり，川の流れ，海の波の音などの自然の音源などの音声データを再生することを含む。
音声の再生は、主として、すえ置き型のスピーカ，ヘッドフォン，イヤホン，マイク付きヘッドセット，Bluetooth（登録商標）によるワイヤレスヘッドフォン，FMトランスミッターによるワイヤレスヘッドフォンなどの音声出力装置を用いて行う。
特に、この発明では、スピーカ以外の音声出力装置のうち、ヘッドフォンのようにユーザ（視聴者）の耳に装着して聞く装置（以下、着用聴取装置と呼ぶ）を用いて、音声データを再生している場合は、電話着信や電子メール受信などのユーザへの報知が望まれる機能（以下、ユーザ報知機能と呼ぶ）が、音声再生中に自動的に起動されても、ユーザへの報知処理を実行しないことを特徴とする。
着用聴取装置を利用して音声データの再生を行っている場合は、ユーザは、集中して音声を聞くことを望み、着信等に基づく報知は望まない状況にあると考えるものとする。
【００１９】
ユーザ報知機能としては、たとえば、電話による着信機能、電子メールの受信機能、スケジュールに予め登録された時刻がきたことをチェックする機能、タスクリストに予め登録された期限の日付・時刻がきたことをチェックする機能などがあり、特に、ユーザの意図的な操作入力に基づかずに、自動的に起動されて、特定のイベントが発生したことを、視覚的あるいは聴覚的にユーザに知らせる処理を伴う機能を意味する。
また、ユーザ報知機能は、音声再生機能によって音声データを再生している時であっても、実行可能な処理とし、たとえば、ＣＰＵの割込み処理により、起動させてもよい。
【００２０】
また、着用聴取装置以外の音声出力装置（たとえば、すえ置き型スピーカ）を利用した音声データの再生を行っている時は、ユーザ報知機能を起動させるイベントが発生すれば、ユーザ報知機能を実行させ、そのイベントが発生したことをユーザに知らせる。このとき、音声データの再生は一時停止あるいは中止することが望ましいと考えられるが、ユーザの設定により、再生を継続してもよい。
ただし、着用聴取装置を利用した音声データの再生を行っている時は、ユーザ報知機能を起動させるイベントが発生しても、ユーザへの報知はしない（ユーザ非報知）。また、たとえば電話による着信などのユーザ報知機能が起動されたことをユーザが後で気づくように、着信に関する情報などの特定の情報を記憶してもよい。
【００２１】
以下の実施例では、ユーザ報知機能のうち、電話による着信と電子メールの受信をユーザに知らせる場合について説明する。
電話による着信を知らせる処理と、電子メールの受信を知らせる処理とを含めて、以下の実施例では、着信通知処理と呼ぶものとする。
【００２２】
図１において、この発明の携帯端末は、主として、制御部１，入力部２，表示部３，通信部４，電話処理部５，電子メール処理部６，再生状態検出部７，音声再生部８，動画再生部９，ヘッドフォン接続確認部１０，スピーカ１１，ヘッドフォン１２，切替部１３，記憶部２０とを備える。
制御部１は、この発明の携帯端末の各種機能を実行させる部分であり、主として、ＣＰＵ，ＲＯＭ，ＲＡＭ，Ｉ／Ｏコントローラ，タイマー等からなるマイクロコンピュータにより実現される。
また、ＣＰＵは、ＲＯＭ等に記憶されたプログラムに基づいて、各種ハードウェアを有機的に動作させることにより、この発明の音声再生機能，着信処理機能，ユーザ報知機能などを実行する。
【００２３】
入力部２は、ユーザが自らの意思で、情報や、機能選択等の入力操作を行う部分であり、たとえば、キーボード，マウス，タッチパネル等が用いられる。
表示部３は、この発明の携帯端末の機能を実行するときに必要な情報を表示する部分であり、たとえば、ＬＣＤ，有機ＥＬディスプレイ等が用いられる。
通信部４は、電話による発着信，電子メール等のデータ送受信を行う部分であり、ＬＡＮ，インターネット，一般加入電話回線などのネットワークを介して、他の電話機や情報通信装置と通話あるいはデータ通信を行う。
電話処理部５は、電話による発着信制御と、マイクおよびスピーカを利用した通話制御を行う部分である。
電子メール処理部６は、電子メールの送信および受信の制御を行う部分である。
【００２４】
再生状態検出部７は、再生部（音楽再生部８と動画再生部９）による再生コンテンツの再生の有無を検出する部分であり、具体的には、音楽データの再生の有無および動画データの再生の有無をチェックする部分である。
音楽データの再生の有無は、音声再生部８によって出力すべき音声データに対応するオーディオ信号を生成しているか否かによって判断することができる。
たとえば、音楽データを含む再生コンテンツを再生する機能（音声再生機能）が実行されると、音楽再生部８に再生すべき音楽データが与えられ、音声再生部８によってその音声データに対応するオーディオ信号が生成され、スピーカに出力される。
このように、音声再生部８によってオーディオ信号が生成された場合に、音楽データの再生が行われていることが検出される。
一方、オーディオ信号が生成されていない場合は、音楽データの再生がないことが検出される。
【００２５】
また、動画データを含む再生コンテンツを再生する動画再生機能が実行され、動画再生部９によって動画データに関する映像信号と音声信号とが生成されている場合、動画データの再生があることが検出され、映像信号と音声信号が生成されていない場合は、動画データの再生がないことが検出される。
また、音声データの再生が行われている場合、記憶部２０の音声再生情報２１に、音声が再生中であることが設定される。同様に、動画データの再生が行われている場合、記憶部２０の動画再生情報２２に、動画が再生中であることが設定される。
【００２６】
上記した再生部は、音声再生部８と動画再生部９とを含み、この発明では、少なくとも音声データを含む再生コンテンツを再生するものとする。
音声再生部８は、制御部１から与えられる音声再生命令に基づいて、音声データの再生処理を実行する部分である。
音声再生命令が音声再生部８に与えられると、上記したように、再生すべき音楽データに対応するオーディオ信号が生成され、そのオーディオ信号が、スピーカ１１あるいはヘッドフォン１２から出力される。オーディオ信号の出力経路は、後述する切替部１３によって切りかえられる。
【００２７】
動画再生部９は、制御部１から与えられる動画再生命令に基づいて、動画データの再生処理を実行する部分である。動画再生命令が動画再生部９に与えられると、再生すべき動画コンテンツの映像信号部分は表示部３に送られて表示され、動画コンテンツの音声信号部分は、オーディオ信号に変換され、スピーカ１１あるいはヘッドフォン１２から出力される。
【００２８】
再生コンテンツの音声データを出力する音声出力部としては、スピーカ１１と、ヘッドフォン１２に代表される着用聴取装置とを利用することができる。
スピーカ１１は、携帯端末に内蔵された拡声器である。ヘッドフォン１２が接続されていない通常状態では、音声データは、スピーカ１１から出力される。
ヘッドフォン１２は、耳に装着して音声を出力する装置（着用聴取装置）であり、現在使用されているあらゆるタイプのものを利用してもよい。ヘッドフォン１２には、いわゆるイヤホンを含むものとする。
また、ヘッドフォン１２は、有線ケーブルによって接続される有線タイプと、Bluetooth等の各種規格の無線通信によって音声データを受信する無線タイプとが利用されているが、どちらを用いてもよい。
【００２９】
切替部１３は、オーディオ信号の出力経路を切りかえる部分であり、再生する音声データを出力する装置を、スピーカ１１およびヘッドフォン１２のどちらにするかを切替えるスイッチであり、主として、制御部１から与えられる切替信号により出力経路を切り替える。
たとえば、音声再生機能が実行されている場合、音声再生部８によってオーディオ信号が生成されるが、そのオーディオ信号は、切替部１３の切替により選択されたスピーカ１１とヘッドフォン１２のどちらか一方から出力される。すなわち、切替部１３により、音声再生部８と、スピーカ１１およびヘッドフォン１２のどちらか一方とが接続される。
また、動画再生機能が実行されている場合、動画再生部９によって動画コンテンツの音声部分からオーディオ信号が生成され、切替部１３の切替により選択されたスピーカ１１とヘッドフォン１２のどちらか一方から、そのオーディオ信号が出力される。
すなわち、切替部１３により、動画再生部９と、スピーカ１１およびヘッドフォン１２のどちらか一方とが接続される。
【００３０】
ヘッドフォン接続確認部１０は、ヘッドフォン１２がこの携帯端末に接続されたか否かを確認する部分である。ヘッドフォン接続確認部１０は、上記した接続確認部に相当し、音声出力部としてヘッドフォン以外の着用聴取装置が接続されているか否かも、確認できるものとする。
ヘッドフォン１２が有線ケーブルを有する有線タイプの場合、ケーブル先端のプラグが携帯端末の図示しない接続端子（コネクタ）に接続されたか否かをチェックする。
たとえば、接続端子内にスイッチを設け、プラグが接続端子に挿入されたときにスイッチが閉じられた場合、ヘッドフォン１２が接続されたと判断する。あるいは、ヘッドフォン１２が接続されたときに流れる電流を検出することにより、接続されたと判断してもよい。
【００３１】
また、ヘッドフォン１２が無線タイプの場合、携帯端末の通信部４と、ヘッドフォン１２に備えられた無線信号通信部との間で、電波による無線通信が行われるので、所定のデータ通信が確立したか否かでヘッドフォンの接続の有無を判断する。たとえば、Bluetoothによる無線接続の場合にはA2DP(Advanced Audio Distribution Profile)のプロファイル(Profile)機能を利用し、あるいは、携帯端末に内蔵されたFMトランスミッターからFM放送に準拠した変調信号・放送周波数帯の電波を送信することにより所定のデータ通信が確立した場合に、ヘッドフォン１２が接続されたと判断する。
ヘッドフォン１２と携帯端末との間で行われる無線通信としては、たとえば、Bluetooth，FMトランスミッターなどの近距離無線通信が利用できる。
【００３２】
また、ヘッドフォン接続確認部１０によって、ヘッドフォン１２が接続されていることが確認された場合、再生する音声をヘッドフォン１２から出力するように、制御部１が、切替部１３に対して、切替信号を出力し、自動的に音声再生経路をヘッドフォン１２の方に接続する。
一方、ヘッドフォン接続確認部１０によってヘッドフォン１２が接続されていないと判断された場合は、再生する音声をスピーカ１１から出力するように、切替部１３によって音声再生経路をスピーカ１１の方に接続する。
【００３３】
記憶部２０は、この発明の携帯端末の各種機能を実行するために必要な情報を記憶する部分であり、ＲＯＭ，ＲＡＭ，フラッシュメモリなどの半導体記憶素子、ＨＤＤ，ＳＳＤなどの記憶装置、その他の記憶媒体が用いられる。
記憶部２０に記憶される情報としては、たとえば、図１に示すようなものがあるが、これに限られるものではない。
【００３４】
図２に、記憶部２０に記憶される情報の一実施例の説明図を示す。
音声再生情報２１は、現在、音声再生が実行されているか否かを示す情報であり、たとえば、音声の再生が行われていない場合は、再生無（たとえば、ゼロ）が設定される。
また、現在音声を再生している場合は、再生中（たとえば、２）が設定され、再生を一時停止している場合は、一時停止（たとえば、１）が設定される。
【００３５】
動画再生情報２２は、現在、動画の再生が実行されているか否かを示す情報である。
同様に、動画再生情報２２も、たとえば、再生無（０），一時停止（１），再生中（２）のうちいずれかが設定される。
電話着信情報２３は、現在、電話による着信があるか否かを示す情報であり、たとえば、着信がない場合は、着信無（たとえば、ゼロ）、着信がある場合は着信有（たとえば、１）が設定される。
また、図示していないが、電話による発信の有無を示す情報や、現在通話中であることを示す情報を記憶してもよい。
電話の着信の有無は、従来と同様に、通信部４が電話ネットワークを介して送信されてくる着信信号を受信することにより確認することができる。
【００３６】
メール受信情報２４は、現在、新しい電子メールを受信したか否かを示す情報である。
たとえば、新たなメールを受信していない場合は、受信無（０）が設定され、新たな電子メールを受信した場合は、受信有（１）が設定される。
上記の電話着信情報２３とメール受信情報２４とは、後述するように、電話着信およびメール受信の有無の判断に利用される。
【００３７】
ヘッドフォン接続情報２５は、現在、ヘッドフォン１２が接続されている状態か否かを示す情報である。
たとえば、ヘッドフォンが未接続の場合はゼロが設定され、ヘッドフォンが接続されている場合は１が設定される。
電話着信履歴２６は、着信した発信元の情報を記憶したリストであり、電話による着信があった場合に、その着信に関する情報が記憶される。たとえば、電話をかけてきた相手先の電話番号（発信電話番号）、その相手先の氏名（発信者氏名）、着信を受けた時刻（着信時刻）とからなる。
【００３８】
受信メール２７は、受信した電子メールの情報を示すものであり、電子メールの受信があった場合に、その受信した電子メールに関する情報が記憶される。たとえば、１つの電子メールごとに、送信者アドレス，受信時刻，およびメール内容とが記憶される。
録音メッセージ２８は、いわゆる留守応答したときに、発信元の相手先が発した音声データを録音したものである。
記憶される録音メッセージ２８は、たとえば、発信電話番号，発信者氏名，着信時刻，録音内容とから構成される。
【００３９】
応答メッセージ２９は、電話による着信をした場合に、留守応答などをするときに、発信元に対して聞かせるメッセージである。
たとえば、現在不在であることを示すメッセージ（不在メッセージ）や、不在ではないが電話に応答することができない状態であることを示すメッセージ（応答不可メッセージ）が、予め記憶されている。これらのメッセージは予め設定しておいてもよいが、利用者が、必要に応じて、設定変更，追加，削除等ができるようにしてもよい。
【００４０】
再生コンテンツ３０は、携帯端末で再生されるべき情報を意味し、たとえば、音楽データ，動画データ，文字や図形データなどがある。
再生コンテンツ３０は、予め記憶部２０に記憶されているものもあるが、通信部４を介して、他の情報処理装置からダウンロードしてもよい。
【００４１】
再生継続設定３１は、ヘッドフォン未接続時において、再生コンテンツ３０の再生を継続するか、あるいは一時停止するかを設定する情報である。たとえば、スピーカ１１を用いて音楽データや動画コンテンツの音声データを再生している場合において、電話着信等があった場合、現在再生中の音声データの出力をそのまま継続するか、音声データの出力を一時停止するかを判断するために、この再生継続設定３１が利用される。
したがって、再生継続設定３１は、予め、利用者により設定しておくことが望ましい。
たとえば、再生を継続する場合は、継続（ゼロ）が設定され、再生を一時停止する場合は、一時停止（１）が設定される。
【００４２】
着信応答設定３２は、電話による着信があった場合に、どのような応答をするかを、予め設定した情報である。
この情報は、利用者が、自らの意思で予め設定しておくことが好ましい。
ヘッドフォン未接続時は、利用者はスピーカ１１を用いて音声を聞くことになるので、利用者は集中しないで音声を聞いていると考え、音声再生中において電話による着信があった場合は、その着信を利用者に報知してもよいものとする。
また、ヘッドフォン接続時は、利用者は集中して音声を聞いている視聴状態であって、電話による着信等によりその視聴状態を邪魔されることを望まないと考え、音声再生中において電話による着信があった場合は、その着信を利用者に報知しないものとする。
【００４３】
また、ヘッドフォン未接続時においては、再生コンテンツの再生を一時停止するように設定し、着信等を報知するように設定されている場合、ユーザは、ヘッドフォンを接続せずにスピーカで音声を再生するようにすることにより、入力部による特別な設定操作をすることなく、再生コンテンツの再生よりも、着信等への応答処理を優先させることができる。
すなわち、ユーザは、自らの意思でヘッドフォンを接続するかしないかを選択することにより、着信等にじゃまされることなく音声等の再生に集中するか、あるいは、再生中の着信等に応答するかを、容易に選択することができる。
【００４４】
着信応答設定３２は、図２に示すように、ヘッドフォン未接続時と、ヘッドフォン接続時に分けて設定するものとし、たとえば、それぞれ４つの状態のいずれかに設定するものとする。
【００４５】
図２の着信応答設定（ａ）は、ヘッドフォン未接続時の設定内容の例を示しており、留守応答（たとえば、ゼロ），録音応答（たとえば、１），転送応答（たとえば、２），通常応答（たとえば、３）のいずれかが設定される。この場合、再生される音声データは、スピーカ１１から出力される。
【００４６】
留守応答（０）は、電話着信に対して応答メッセージ２９を発信元に送信し、着信した携帯端末のユーザに対しては、着信があったことを報知することを意味する。
音声データ等の再生中の場合は、原則としてその再生を継続するが、再生継続設定３１が一時停止（１）に設定されている場合は、その再生を一時停止する。
応答メッセージ２９としては、たとえば、「ただいま電話に出ることができません」というような音声を送信する。
この場合、着信があったことの報知としては、たとえば、表示画面に着信を示す文字や図形等の表示をすること、着信を示すＬＥＤを点滅させること、再生中の音声データに着信を示す所定の電子音を合成して出力することなどを利用すればよい。
【００４７】
録音応答（１）は、電話着信に対して録音する旨の応答メッセージ２９を送信元に送信した後、発信者の発する音声を録音し、着信した携帯端末のユーザに対しては、着信があったことを報知することを意味する。
また、音声データ等の再生中の場合は、再生継続設定３１の情報に基づいて、その再生を継続するかまたは一時停止する。
応答メッセージ２９としては、たとえば、「録音するメッセージをお話し下さい」というような音声を送信する。
この場合の着信があったことの報知は、上記した留守応答（０）と同様の手段で行えばよい。
【００４８】
転送応答（２）は、電話着信に対しては、転送する旨の応答メッセージ２９を発信元に送信した後、転送電話サービスを利用して所定の転送先電話番号に、その着信を転送することを意味する。
また、着信した携帯端末のユーザに対しては、着信があったことを報知する。
さらに、音声データの再生中の場合は、原則として、その再生をそのまま継続する。ただし、再生継続設定３１の情報に基づいて、その再生を継続するか、または一時停止してもよい。
応答メッセージ２９としては、たとえば、「他の電話に転送します」というような音声を送信する。
この場合の着信があったことの報知も、上記した留守応答（０）と同様の手段で行えばよい。
【００４９】
通常応答（３）は、電話着信に対して、従来と同様に、通常どおりの応答をすることを意味する。
したがって、着信があったことを示す着信音の鳴動や、発信者番号の表示等を行って、着信があることをユーザに報知する。
また、音声データの再生中の場合は、再生継続設定３１の設定内容にかかわらず、その再生を一時停止することが好ましい。
なお、上記したヘッドフォン未接続時における４つの着信応答設定３２のいずれの場合においても、電話による着信があった場合は、その着信に関する情報を、電話着信履歴２６に記憶する。
【００５０】
一方、図２の着信応答設定（ｂ）は、ヘッドフォン接続時の設定内容の例を示している。
たとえば、留守応答（０），録音応答（１），転送応答（２），応答不可（３）の４つのうち、いずれかが設定される。この場合、再生される音声データは、ヘッドフォン１２から出力される。
【００５１】
留守応答（０）は、電話着信に対して応答メッセージ２９を発信元に送信することを意味する。
ただし、ヘッドフォン１２が接続されているので、着信した携帯端末のユーザに対しては着信があったことを報知せず、音声データの再生中の場合は、そのまま再生を継続する。
応答メッセージ２９としては、たとえば、「ただいま電話に出ることができません」というような音声を送信する。
【００５２】
録音応答（１）は、電話着信に対して、録音する旨の応答メッセージ２９を送信元に送信した後、発信者の発する音声を録音することを意味する。
ただし、ヘッドフォン接続時の場合は、着信した携帯端末のユーザに対しては着信があったことを報知せず、音声データの再生中の場合は、そのまま再生を継続する。
応答メッセージ２９としては、たとえば、「録音するメッセージをお話し下さい」というような音声を送信する。
【００５３】
転送応答（２）は、電話着信に対しては、転送する旨の応答メッセージ２９を発信元に送信した後、転送電話サービスを利用して所定の転送先電話番号に、その着信を転送することを意味する。
ただし、ヘッドフォン接続時の場合は、着信した携帯端末のユーザに対しては着信があったことを報知せず、音声データの再生中の場合は、そのまま再生を継続する。
応答メッセージ２９としては、たとえば、「他の電話に転送します」というような音声を送信する。
【００５４】
応答不可（３）は、電話着信に対して応答しないことを意味し、その着信に関する情報を電話着信履歴２６に記憶する。
この場合、着信した携帯端末のユーザに対しては着信があったことを報知せず、音声データの再生中の場合は、そのまま再生を継続する。
上記のように、ヘッドフォン接続時の着信応答設定のいずれの場合も、電話による着信があったとしてもその着信があったことはユーザに報知されず、音声の再生がそのまま継続されるので、ユーザは快適に集中して、音声を聞き続けることができる。
なお、着信があった後に、再生中の音声の再生を中止した場合は、表示やＬＥＤの点滅等によって着信があったことをユーザに報知してもよい。
また、応答不可（３）のときだけでなく、留守応答（０），録音応答（１），転送応答（２）のいずれの場合についても、着信に関する情報を、電話着信履歴２６に記憶してもよい。
【００５５】
＜音声再生時の着信応答処理＞
図３に、この発明の携帯端末における音声再生時の着信応答処理の一実施例のフローチャートを示す。
以下のフローチャートでは示していないが、ユーザが、タッチパネル等の入力部２の操作によって、音声再生機能あるいは動画再生機能が起動されるものとする。
また、音声再生機能が実行された場合、制御部１は、音声再生情報２１に再生中（２）を設定するものとし、動画再生機能が実行された場合、動画再生情報２２に再生中（２）を設定するものとする。また、これらの再生機能の一時停止や終了操作に対応して、それぞれの情報（２１，２２）に、一時停止（１）あるいは再生無（０）を設定するものとする。
【００５６】
また、通信部４は、電話による着信の有無および電子メールの受信の有無を常にチェックし、制御部１は、電話着信があった場合、電話着信情報２３に着信有（１）を設定するものとし、電子メールの受信があった場合、メール受信情報２４に受信有（１）を設定するものとする。また、ユーザが着信に応答したり、受信メールを表示させた場合は、対応するそれぞれの情報（２３，２４）を、着信無（０）あるいは受信無（０）に戻せばよい。
【００５７】
ただし、これらの情報（２１〜２４）は、以下のフローチャートの説明を明確にするために利用するものであり、必ずしも設定する必要はなく、他にフラグやレジスタを利用してもよい。
また、電話着信があった場合、電話着信履歴２６に、その着信に関する情報が記憶され、電子メールの受信があった場合、記憶部２０の受信メール２７に、その電子メールに関する情報が記憶されるものとする。
【００５８】
また、録音応答機能が実行された場合には、発信者が発した音声が、録音メッセージ２８として記憶されるものとする。
応答メッセージ２９と再生コンテンツ３０は、予め記憶部２０に記憶しておくものとする。
再生継続設定３１と、ヘッドフォン未接続時および接続時の着信応答設定３２については、ユーザが予め、図２に示したいずれかの情報に設定しておくものとする。
【００５９】
図３のステップＳ１において、制御部１が、通信部４によって、電話着信があったか否かと、電子メールを受信したか否かをチェックする。
電話着信の有無と電子メールの受信の有無は、従来と同様の方法により行えばよい。
【００６０】
ステップＳ２において、電話着信および電子メールの受信の少なくとも一方があった場合、ステップＳ３に進む。電話着信および電子メールの受信のどちらもなかった場合は、ステップＳ１に戻る。
【００６１】
ステップＳ３において、再生状態検出部７が、音声再生部８による音声データの再生の有無と、動画再生部９による動画データの再生の有無とをチェックする。
音楽データの再生の有無は、たとえば、スピーカ１１あるいはヘッドフォン１２に出力されるオーディオ信号の有無により判断すればよい。
また、動画データの再生の有無は、たとえば、表示部３に与えられる映像信号と、スピーカ１１あるいはヘッドフォン１２に出力されるオーディオ信号の有無により判断すればよい。
【００６２】
ステップＳ４において、音楽データの再生および動画データの再生のいずれかが実行されている場合は、ステップＳ６へ進む。
音楽データおよび動画データのどちらも再生されていない場合は、ステップＳ５へ進む。
【００６３】
ステップＳ５において、従来の電話機や通信装置などと同様に、着信応答処理を実行する。ここでの着信応答処理には、電話による着信処理と、電子メールの受信処理とを含むものとする。
たとえば、電話による着信処理では、電話処理部５が、着信音の鳴動，振動，発信者電話番号の表示などによって、着信があったことのユーザへの報知を行い、ユーザがオフフック操作をして受話した場合は、その後通話ができる状態となる。
あるいは、ユーザが着信に応答しない場合は、着信応答設定３２の設定内容に基づいて、留守応答，録音応答，および転送応答の３つの応答のうち、いずれかの処理をしてもよい。
また、電子メールを受信した場合は、電子メール処理部６が、受信した電子メールに関する情報を、記憶部２０の受信メール２７に記憶する。
着信応答処理の終了後は、ステップＳ１に戻る。
【００６４】
ステップＳ６において、制御部１が、ヘッドフォン接続確認部１０を用いて、ヘッドフォン１２が携帯端末に接続されているか否かをチェックする。
上記したように、有線タイプのヘッドフォン１２の場合は、ケーブルが接続端子に接続されているか否かをチェックする。
また、無線タイプのヘッドフォンの場合は、無線による所定のデータ通信が可能な状態にあるか否かをチェックする。
ステップＳ７において、ヘッドフォン１２が接続されていることが確認された場合は、ステップＳ８へ進む。
一方、ヘッドフォン１２が接続されていない場合、すなわち、内蔵されたスピーカ１１から再生中の音声が出力されている場合は、ステップＳ９へ進む。
【００６５】
ステップＳ８において、ヘッドフォン１２が接続されている場合の再生継続時着信処理を実行し、その後ステップＳ１へ戻る。
ここでは、ヘッドフォン１２から出力される音声データを聞いているユーザが、着信によって邪魔されることなく、継続してその音声データを聞くことができるようにするために、電話による着信および電子メールの受信があったとしても、電話着信があったことおよび電子メールの受信があったことをユーザに報知しない。
すなわち、着信あるいは受信があったことを示す音の鳴動，表示および振動等のいずれも実行しない。
【００６６】
ステップＳ８における再生継続時着信処理では、図２に示したヘッドフォン接続時の着信応答設定（ｂ）の設定内容に基づいて、４つの着信応答のうち、いずれかの処理を実行する。
たとえば、電話による着信があった場合、ヘッドフォン接続時の着信応答設定３２として、「録音応答（１）」が設定されている場合は、発信者に録音する旨の応答メッセージが送信されて、その後発信者の発する音声を記憶する。
【００６７】
また、「応答不可（３）」が設定されている場合は、特別な応答処理を何も行わずに、ステップＳ１へ戻る。
ただし、電話着信があった場合は、電話着信履歴２６にその着信に関する情報を記憶する。
また、電子メールが受信された場合は、その受信した電子メールに関する情報（受信メール２７）を、記憶部２０に記憶し、ステップＳ１へ戻る。
【００６８】
ステップＳ９において、記憶部２０の再生継続設定３１の設定内容が「継続（０）」になっているか否かをチェックする。
ここでは、ヘッドフォン１２は接続されていないので、現在、スピーカ１１から音声が出力されている状態であるが、再生中の音楽データあるいは動画の音声データの再生を継続するか否かを、再生継続設定３１の設定内容によって判断する。
再生継続設定３１が「継続（０）」に設定されている場合は、ステップＳ１０へ進み、「一時停止（１）」に設定されている場合はステップＳ１２へ進む。
ただし、スピーカ１１から音声を出力している場合において、音声の再生よりも電話着信や電子メール受信への応答を優先させる場合は、ステップＳ９の再生継続設定３１による判断を実行しないで、常に、ステップＳ１２へ進むようにしてもよい。
【００６９】
ステップＳ１０において、音声または動画の再生を継続したままで、ユーザへの報知処理を行う。
たとえば、電話による着信があった場合は、その着信があったことを、画面表示，ＬＥＤ点滅，振動等を用いて、ユーザに報知する。あるいは、現在再生中の音声に、着信を示す音を重畳させて、スピーカ１１から出力してもよい。
一方、電子メールの受信があった場合も、同様に、その受信があったことを、画面表示，ＬＥＤ点滅，再生音声に受信音の重畳，振動等を用いて、ユーザに報知する。
このとき、現在再生中の音楽データあるいは動画コンテンツの音声データのスピーカによる再生はそのまま継続されるが、ユーザは、その再生中に着信や受信があったことを知らせられることになり、音声を聞くことが一時的に防げられることになる。
【００７０】
ステップＳ１１において、ヘッドフォンが接続されていない場合の再生継続時着信処理を実行し、その後ステップＳ１へ戻る。
ここでは、図２に示したヘッドフォン未接続時の着信応答設定（ａ）の設定内容に基づいて、４つの着信応答のうち、いずれかの処理を実行する。
たとえば、電話による着信があった場合、ヘッドフォン未接続時の着信応答設定３２として、「留守応答（０）」が設定されている場合は、留守である旨の応答メッセージを発信者に送信する。
また、「転送応答（２）」が設定されている場合は、転送する旨の応答メッセージを発信者に送信して、電話転送サービスを利用して、その着信を所定の他の電話番号に転送する。
【００７１】
ステップＳ１２において、再生継続設定３１が「一時停止」に設定されているので、現在再生中の音楽データあるいは動画データの再生を、一時的に停止させる。
ステップＳ１３において、着信応答処理を実行する。ここでの処理は、上記したステップＳ５と同様の処理を行えばよい。
着信応答処理後は、ステップＳ１に戻る。
【００７２】
以上に示したこの発明の着信応答処理において、特に、ユーザが携帯端末にヘッドフォンを接続している場合は、音楽データや動画データを再生しているときに電話による着信や電子メールの受信があっても、その着信および受信があったことがユーザに報知されないので、再生内容に集中して視聴しているユーザは邪魔されることがなく、継続して快適に再生音声や動画等を視聴することができる。
【００７３】
図４に、この発明の携帯端末の状態に対応した動作リストの一実施例の説明図を示す。
ここでは、電話着信および電子メール受信の有無、音声および動画再生の有無、ヘッドフォン接続の有無という３つの状態に対応して、どのような動作をするかを示している。
動作としては、上記３つの状態の組合せに基づいて実行する動作を示しており、具体的には、音声出力，着信および受信応答、および着信等のユーザ報知という３つの動作を示している。図４では、６つの動作の実施例を示している。
【００７４】
たとえば、Ｎｏ．１の場合、ヘッドフォン未接続状態で音声又は動画を再生しているとき、電話着信および電子メール受信がない状態である場合は、スピーカから音声の出力をそのまま継続することを意味する。
Ｎｏ．２の場合、ヘッドフォン接続状態で音声又は動画を再生しているとき、電話着信および電子メール受信がない状態である場合は、ヘッドフォンから音声の出力をそのまま継続することを意味する。
【００７５】
Ｎｏ．３および４の場合、音声および動画の再生がない状態で電話着信および電子メール受信のいずれか一方があった場合は、その着信等に応答し、ユーザに着信等があることを報知することを意味する。
【００７６】
Ｎｏ．５の場合、ヘッドフォン未接続状態（スピーカ接続状態）で音声又は動画を再生しているとき、電話着信および電子メール受信のいずれか一方があった場合は、原則として、スピーカから音声の出力を継続させる。
ただし、再生継続設定３１の設定内容に基づいて、スピーカからの音声出力を継続してもよく、あるいは一時停止してもよいことを示している。また、着信等への応答と、ユーザへの報知は、ヘッドフォン未接続時の着信応答設定３２の設定内容に基づいて、設定された留守応答等や報知の内容を選択することを示している。
【００７７】
さらに、Ｎｏ．６の場合、ヘッドフォン接続状態で音声又は動画を再生しているときに、電話着信および電子メール受信のいずれか一方があった場合は、ヘッドフォンからの音声出力をそのまま継続し、ユーザへの報知を行わないことを意味する。
このとき、着信等の応答については、ヘッドフォン接続時の着信応答設定３２に基づいて、設定された留守応答等を選択することを示している。
ただし、この動作リストは一実施例であり、これに限るものではない。
【符号の説明】
【００７８】
１  制御部
２  入力部
３  表示部
４  通信部
５  電話処理部
６  電子メール処理部
７  再生状態検出部
８  音声再生部
９  動画再生部
１０  ヘッドフォン接続確認部
１１  スピーカ
１２  ヘッドフォン
１３  切替部
２０  記憶部
２１  音声再生情報
２２  動画再生情報
２３  電話着信情報
２４  メール受信情報
２５  ヘッドフォン接続情報
２６  電話着信履歴
２７  受信メール
２８  録音メッセージ
２９  応答メッセージ
３０  再生コンテンツ
３１  再生継続設定
３２  着信応答設定
【図１】
2014146903.tif 000003
【図２】
2014146903.tif 000004
【図３】
2014146903.tif 000005
【図４】
2014146903.tif 000006